(57)【要約】【課題】従来の飲料入れ物の上部パネルの周りに形成されるリング形の凹溝の中にたまる汚れを防ぐこと。【解決手段】飲料入れ物２０は、平らな開口部分２３１と引上げ部分２３２を持つ容易に清掃可能な上部パネル２３を含み、平らな開口部分２３１は、従来の飲料入れ物の上部パネルの周りに形成されるリング形の凹溝の中にたまる汚れを防ぐことができる。そのほか、消費者が引上げリング３１を容易につかむことができるような上部パネル２３上の引上げ部分２３２と引上げリング３１の間に広げられた隙間が十分に提供される。そのうえ、消費者が飲料を消費する際、きれいなパネル面を得るため保護膜４０を簡単に引き剥がせるように保護膜４０が上部パネル上２３に取り外し可能に取り付けられている。【選択図】図３
2004525820.tif 000002
【特許請求の範囲】
【請求項１】
管状の缶胴と、
前記缶胴の底端で一体的に形成される凹面底パネルと、
第一の区切りと第二の区切りに分けられる周囲縁をもつ前記缶胴の上端で一体的に形成される上部パネルであって、その側面端とその開口部とで囲まれる開口部分と、平表面を規定するため、前記側面端まで平らに引き伸ばされる前記周囲縁の前記第二の区切りとに分割され、そして、上記引上げ部分は、前記開口部分の前記側面端から前記上部パネルの前記周囲縁の前記第二の区切りまで引き伸ばされている凹んだ区域を提供し、かつリング形の前もって切られる割れ線が前記平表面の上に配置されるバルブ部材の周りに形成されることとなる上部パネルと、
引上げリング、前記引上げリングと一体的に形成される押し付け部分、前記引上げリングと前記押し付け部分の間に形成される取り付け部分、及び前記上部パネルに取り付け部分を取り付ける固定部材から構成される開口装置であって、前記固定部材は、前記開口部分の前記側面端の隣に取り付けられ、前記引上げリングと前記上部パネルの前記引上げ部分の間にある隙間を規定するため、前記引上げリングが前記開口部分の前記引上げ部分の上方へ引き伸ばされ、前記開口装置の前記押し付け部分は前記引上げリングを引き上げることによって前記上部パネルの前記開口部分の上に押し付けられ、前記バルブ部材は、前記引上げリングを引き上げることによって開き、前記バルブ部材は開いて、開口が前記前もって切られる割れ線に沿って形成されることとなる開口装置、
とからなる飲料入れ物。
【請求項２】
前記上部パネルにある前記周囲縁の前記第二の区切りと前記側面端によって規定される境界線の中に引っ込まれ及び伸ばされる前記凹んだ区域を限定するため、前記引上げ部分は前記開口部分の前記平表面より低く配置され、前記周囲縁の前記第二の区切りと前記側面端は、予期されない衝撃或いは圧力によって形が変わることを避けるため、前記上部パネルを補強することに対して、前記凹んだ区域を囲む半円形縁を形成し、リング溝は、前記上部パネルの前記周囲縁の前記第一と第二の区切りの真下にある前記缶胴の前記上端周りに形成され、前記リング溝は、Ｖ形断面を有する前記周囲縁の前記第一と第二の区切りの真下にある前記缶胴の前記上端周りに形成され、こうして前記リング溝に関して、前記周囲縁の前記第二の区切りが重複する縁を形成する請求項１記載の飲料入れ物。
【請求項３】
前記開口部分は、斜めの平表面を形成するように作られ、前記引上げ部分は、前記開口部分から直接水平に引き伸ばされる凹平表面を形成するように作られている請求項１記載の飲料入れ物。
【請求項４】
前記上部パネルの前記開口部分の前記平表面は、前記バルブ部材をカバーするための保護膜が取り外し可能に取り付けられている請求項３記載の飲料入れ物。
【請求項５】
リング溝は、前記上部パネルの前記周囲縁の前記第一と第二の区切りの真下にある前記缶胴の前記上端の周りに形成され、前記上部パネルの前記開口部分に関する前記リング溝は、前記周囲端の前記第一の区切りにＶ形断面を与え、こうして前記リング溝に関して、前記周囲端の前記第二の区切りが重複する縁を形成する請求項１記載の飲料入れ物。
【請求項６】
前記上部パネルの前記引上げリングは、斜めの凹んだ区域を形成するため、斜めの方法で前記平開口部分から直接引き伸ばされる請求項５記載の飲料入れ物。
【請求項７】
前記上部パネルは独立部分として作られ、前記缶胴と前記底パネルとが単一の胴を形成するため一体化され、前記上部パネルの前記周囲縁の前記第一と第二の区切りは、囲む縁を形成するように前記缶胴の前記上端の縁に封止可能に結合されている請求項５記載の飲料入れ物。
【請求項８】
前記上部パネルの前記開口部分の前記平表面は、前記バルブ部材をカバーするための保護膜が取り外し可能に取り付けられている請求項５記載の飲料入れ物。
【請求項９】
前記引上げ部分は、前記側面端と前記上部パネルの前記周囲縁の前記第二の区切りとで規定される境界線内に凹みおよび引き伸ばされる前記凹んだ区域を規定するため、前記開口部分の前記平表面より低く配置され、こうして前記側面端と前記周囲縁の前記第二の区切りは、予期されない衝撃或いは圧力によって変形することを避けるため、前記上部パネルを補強するように前記凹んだ区域を囲む半円形縁を形成し、前記開口部分の前記側面端と前記周囲縁の前記第二の区切りとが傾いた縁であり、前記側面端は、前記開口装置の前記押し付け部分を下へ押すように、引上げリングが引き上げられる間に前記開口部分の形が変わることを避けるため、前記開口装置の前記取り付け部分を実質的に補強し、リング溝は、前記上部パネルの前記周囲縁の前記第一と第二の区切りの真下にある前記缶胴の前記上端の周りに形成され、前記上部パネルの前記開口部分に関する前記リング溝は、前記周囲縁の前記第一の区切りにＶ形の断面を持たせ、こうして前記リング溝に関して、前記周囲端の前記第二の区切りは重複する縁を形成する請求項１記載の飲料入れ物。
【請求項１０】
前記上部パネルの前記開口部分の前記平表面は、前記バルブ部材をカバーするための保護膜を取り外し可能に取り付けられている請求項９記載の飲料入れ物。
【請求項１１】
前記上部パネルと前記缶胴は、一枚の素材から作られ、前記底パネルは、もう一枚の素材から作られ、補強される周囲縁を形成するため前記缶胴の前記底端と封止可能に結合されている請求項９記載の飲料入れ物。
【請求項１２】
前記上部パネルの前記開口部分の前記平表面には、前記バルブ部材をカバーするための保護膜が取り外し可能に取り付けられている請求項１１記載の飲料入れ物。
【請求項１３】
前記上部パネルは、前記底パネルより小さい直径を有する請求項１１記載の飲料入れ物。
【請求項１４】
前記上部パネルの前記引上げ部分は、斜めの凹んだ区域を形成するため傾ける方法で前記平らな開口部分から引き伸ばされている請求項１３記載の飲料入れ物。
【請求項１５】
前記上部パネルの前記開口部分の前記平表面には、前記バルブ部材をカバーするための保護膜が取り外し可能に取り付けられている請求項１４記載の飲料入れ物。
【請求項１６】
管状の缶胴と、
前記缶胴の底端で一体的に形成される凹面底パネルと、
前記缶胴の上端に一体的に形成される上部パネルであって、前記上部パネルには、周囲縁と前記周囲縁によって規定される境界線の内に引き伸ばされる平らな上表面とがあり、リング形の前もって切られる割れ線が、前記平らな上表面の上に配置されるバルブ部材の周りに形成され、リング溝が前記上部パネルの平らな上表面を補強するため、前記上部パネルの前記周囲縁の真下にある前記缶胴の前記上端の周りに形成される上部パネルと、
引上げリング、前記引上げリングと一体形成される押し付け部分、前記引上げリングと前記押し付け部分の間に形成される取り付け部分、及び前記上部パネルに前記取り付け部分を取り付ける固定部材から構成される開口装置であって、前記固定部材は、前記引上げリングの上に取り付けられ、前記引上げリングを引き上げることによって前記開口装置の前記平らな上表面を前記上部パネルの上に押し付け、前記バルブ部材が開き、開口が前記前もって切られた割れ線に沿って形成される開口装置と、
からなる飲料入れ物。
【請求項１７】
管状の缶胴と、
前記缶胴の底端で一体的に形成される凹面底パネルと、
第一の区切りと第二の区切りに分けられる周囲縁をもつ前記缶胴の上端で一体的に形成される上部パネルであって、開口部分と引上げ部分とに分割され、そして開口部分は前記周囲縁の前記第一の区切りから前記引き上げ部分まで伸びる平表面であり、前記引上げ部分は、前記開口部分から前記周囲縁の前記第二の区切りまで伸びる凹んだ区域を提供し、かつリング形の前もって切られる割れ線が前記平表面の上に配置されるバルブ部材の周りに形成されることとなる上部パネルと、
引上げリング、前記引上げリングと一体的に形成される押し付け部分、前記引上げリングと前記押し付け部分の間に形成される取り付け部分、及び前記上部パネルに取り付け部分を取り付ける固定部材から構成される開口装置であって、前記固定部材は、前記引上げ部分に取り付けられ、前記引上げリングと前記上部パネルの前記引上げ部分の間にある隙間を規定するため、前記引上げリングが前記上部パネルの前記引上げ部分の上方へ引き伸ばされる一方、前記押し付け部分は前記開口部分の前記平表面に伸び、前記開口装置の前記押し付け部分は前記引上げリングを引き上げることによって前記上部パネルの前記開口部分の上に押し付けられ、前記バルブ部材が開き、開口が前記前もって切られた割れ線に沿って形成され、前記上部パネルの前記引上げ部分の前記凹んだ区域がその内部に前記開口装置を単に受け入れように形成された溝内に提供される開口装置、
とからなる飲物入れ物。
【発明の詳細な説明】
【０００１】
（発明の背景）
図１は、アメリカの特許番号第５，６４５，１８９号，第５，５９０，８０７号，第４，６０６，４７２号，第４，５７８，００７号 或いは第３，７７４，８０１号の特許に一般的に示されている共通の飲料入れ物構造を示している。通常、飲料入れ物１０は、Ｕ形缶胴１１、Ｕ形缶胴１１上端に封止されてつながれる上部パネル１２、及び上部パネルの開口部分を開けるための開口装置１３から構成されている。開口装置１３は、引上げリング１３１、引上げリングと一体的に形成される押付部分１３２、引上げリングから伸ばされる延長部分１３３、及び上部パネル１２に延長部分１３３の一部を取り付けている固定部材１３４によって形成されている。さらに、固定部材１３４は、上部パネル１２の中心平表面１２１に取り付けられなければならないので押し付け部分１３２が、引上げリング１３１によって、上部パネル１２の中心平表面１２１に向かって下へ押される間、中心平表面１２１を補強するために、上部パネル１２の周りに前もって定められた深さを持つ円形の凹溝１２２が必ず提供される。
【０００２】
確かに、このような凹溝１２２は、上部パネル１２の中心平表面１２１に生ずる缶の開口を極めて難しくさせる変形を防ぐための賢いデザインである。しかしながら、これは、単に機械的な問題を解決するだけではなく、同時に、全ての飲料消費者に対して予期されない重大な衛生問題を起こす。
【０００３】
事実、飲料入れ物は、消費者に配達するまでに長い時間を要する。飲料入れ物は、工場で生産された後に、小売業者に注文される前に何日間も倉庫で備蓄される。ゴキブリとねずみは、上部パネル１２の上に這い上がったり走ったりして、凹溝１２２の中に細菌残留物を置き去る。だから、備蓄されている間に、昆虫と齧歯類の動物によって、ほこり、細菌が置かれて、上部パネル１２の上、特に凹溝の中にバクテリアがたまり始める。工場から小売業者へ配達する間に、凹溝１２２は、汚れとバクテリアを収集し続ける。飲料入れ物は、小売業者に届いても、消費者が小売業者または飲料機械から飲料缶を購入する前に、より多い、ほこり、バクテリア及び細菌が上部パネル１２の上と凹溝１２２の中にたまっている可能性がある。そして、なぜ、ほとんどの消費者がティッシュ、ハンカチを使って、或いは少なくとも手で上部パネル１２の上を拭くかというと、汚れと細菌も口に入れて消費されてしまうことを避けるため、消費する前にその上にある汚れを取り除こうと試みるからである。
【０００４】
しかしながら、飲料入れ物製造者を含む多くの人は、いくら上部パネル１２をきれいにしても、凹溝１２２の中に収集されている汚れはまだその中に隠れていることを気づかずにいる。特殊な鋭い器具の助けがない状況では、凹溝１２２の底に届くことはほとんど不可能である。だから、人は飲料入れ物１０の中にある飲料を消費するときに、流出してくる飲料が最初、凹溝１２２の内部に流れ、消費者の口に入る前に凹溝１２２の内部にある汚れを実質的に洗って溶かす。そのうえ、最初の一口と最後の一口の間に、汚れは凹溝１２２の中に置かれる残りの飲料に溶かされる。その後、消費者に全部飲み干される。消費者が口で直接飲料を消費することを避けても、注がれる飲料は、依然として凹溝１２２を洗って、汚れ及び細菌と共にコップに注がれる。だから、飲料入れ物の消費者は、事実上、飲料と同時に、汚れ、バクテリア及び細菌を飲んでしまう。
【０００５】
そのうえ、引上げリング１３１は、上部パネル１２の中心平表面１２１の上に通常伸ばされる。消費者の指が引上げリング１３１を引上げ及びつかむため、引上げリング１３１と上部パネルの中心平表面１２１の間に唯一の極めて狭い隙間１５が発生する。おそらく飲料入れ物の設計者は女性ではないと考えられ、彼は、大部分の女の子及び婦人が指の爪に対して、特に気を付けることに気づかなかった。爪先を使って、引上げリング１３１を引き上げてつかむために、きれいな爪が割れるリスクを誰も冒したくはない。
【０００６】
（発明の概要）
このように、この発明の最初の目的は、通常の飲料入れ物の上部パネルの周りに形成されるリング形の凹溝にたまる汚れを防ぐことができる容易に清掃可能な上部パネル付きの飲料入れ物を提供することである。
【０００７】
さらなる、この発明の目的は、従来の凹溝が取り除かれる一方、補強構造を組み込んだ飲料入れ物の開口装置を備える容易に清掃可能な上部パネル付きの飲料入れ物を提供することである。
【０００８】
また、この発明のもう１つの目的は、消費者が簡単に引上げリングをつかめるように、上部パネルの引上げ部分と引上げリングの間に、大きくされた隙間が十分に提供された容易に清掃可能な上部パネル付きの飲料入れ物を提供することである。
【０００９】
加えて、この発明のもう１つの目的は、消費者が飲料を消費するための清潔な表面を得る保護膜を簡単に取り外すことができる、上部パネル上に取り付け可能な保護膜を有する容易に清掃可能な上部パネル付きの飲料入れ物を提供することである。
【００１０】
従って、上記各目的を成し遂げるために、この発明は、管状の缶胴、缶胴の底端に一体的に形成される凹面底パネル、缶胴の上端に一体的に形成される上部パネル、及び開口装置からなる飲料入れ物であって、この開口装置が、引上げリング、引上げリングと押し付け部分の間に形成される取り付け部分、及び上部パネルに取り付け部分を取り付ける固定部材から構成される飲料入れ物を提供している。
【００１１】
上部パネルは、開口部分と引上げ部分の２つ部分に分かれる。開口部分に、上部パネルの周囲縁の第一の区切りまで伸びる１つの半円形の平表面がある。引上げ部分は、開口部分の側面端から周囲縁の第二の区切りまで伸びる１つの半円形の凹んだ区域を提供する。
【００１２】
固定部材は、開口部分の側面端の隣に固定され、その結果、引上げリングが上部パネルの引上げ部分まで伸ばされ、一方、押し付け部分は開口部分まで伸ばされている。リング形の前もって切られている割れ線が開口部分に形成されており、その結果、引上げリングを引き上げることによって、上部パネルの開口部分に開口装置の押し付け部分が押し付けられる時、飲料入れ物の中に蓄えられる飲料を注ぐため、前もって切られている割れ線に沿って開口が形成される。
【００１３】
（好ましい実施例の詳細な説明）
図２と図３を参照すると、好ましい実施例による容易に清掃可能な上部パネル付きの飲料入れ物が示されている。飲料入れ物２０は、管状の缶胴２１、缶胴２１の底端２３１１で一体的に形成される凹面底パネル２２、缶胴２１の上端２１２で一体的に形成される上部パネル２３、及び開口装置３０から構成される。
【００１４】
開口装置３０は、引上げリング３１、引上げリング３１と一体的に形成される押し付け部分３２及び引上げリング３１と押し付け部分３２の間に形成される取り付け部分３３、及び取り付け部分３３を上部パネル２３に取り付けている固定部材３４から構成される。
【００１５】
上部パネル２３は、開口部分２３１と引上げ部分２３２の２つの部分に分けられる。開口部分２３１には、上部パネル２３にある周囲縁の第一の半円形の区切り２３３に伸びている半円形の平表面２３１−１がある。引上げ部分２３２は、開口部分２３の側面端２３４から周囲縁の第二の区切り２３５まで伸びている半円形の凹んだ区域２３２−１を提供する。固定部材３４は、開口部分２３の側面端２３４に隣接して取り付けられ、その結果、引上げリング３１は、上部パネル２３の引上げ部分２３２の上方まで伸ばされ、一方、押し付け部分３２は開口部分２３１まで伸ばされる。
【００１６】
隙間２４は、引上げリング３１と部分２３２の凹んだ区域の底との間で規定される。隙間２４の高さは、一般に、引上げ部分２３２の凹んだ区域２３２−１の深さと等しい。開口部分２３１の上に、リング形の前もって切られる割れ線２５が形成され、引上げリング３１で開口装置３０の押し付け部分３２を押すときに、開口２３１−２が前もって切られている割れ線２５に沿って形成され、飲料入れ物２０の中に蓄えられる飲料が注出される。
【００１７】
図２と図３において、周囲縁は２つに分けることが示されている。たとえば、周囲縁の第一の区切り２３３及び周囲縁の第二の区切り２３５である。開口部分２３１の平表面２３１−１は、周囲縁の第一の区切り２３３と側面端２３４によって規定される境界線の中に、好ましくは平らに引き伸ばされる。前もって切られている割れ線２５は、図２に示されるように、その開口部分２３１の平表面２３１−１の上に形成され、バルブ部材２３６を規定する。それ故、押し付け部分３２をバルブ部材２３６へ向けて押すときに、前もって切られた割れ線２５は、割れて、バルブ部材２３６を下方へ動くように押し込んで開口２３１−２を形成する。この発明の飲料入れ物２０に含まれる飲料は、こうして開口２３１−２を通して注ぎ出されることができる。さらに開口部分２３１の平表面２３１−１の上に凹溝がないため、従来の飲料入れ物のような達しえない溝の中に汚れがたまるということがない。消費者は、飲料を消費する前に開口部分２３１の平表面２３１−１をきれいにするため簡単に拭き落とすことができる。従来の飲料入れ物の最大の弱点は、こうして除去される。
【００１８】
そのうえ、引上げ部分２３２は、上記凹んだ区域２３２−１を規定するための開口部分２３１の平表面２３１−１より低くされているので、側面端２３４と周囲縁の第二の区切り２３５とは、凹んだ区域２３２−１を囲んで半円形縁を形成し、それは消費者の指が容易に挿入され引上げリング３１をつかむように形成されているだけではなく、予期されない衝撃又は圧力で変形してしまうのを防ぐために上部パネル２３を補強することにもなる。
【００１９】
図２と図３に示される好ましい実施例によれば、開口部分２３１の側面端２３４と周囲縁の第二の区切り２３５は、共に、引上げ部分２３２に傾けて伸ばされ、開口装置３０の押し付け部分３２を下へ押し付けるため、引き上げリング３１を引き上げる際に、開口部分２３１の形が変わることを防ぐため、側面端２３４は、実質的に開口装置の取り付け部分３３を補強する。
【００２０】
上部パネル２３をさらに補強するために、リング溝２６が上部パネル２３の周囲縁より真下にある缶胴２１の上端の周りに形成されるのが好ましい。図３に示されるように、上部パネル２３の開口部分２３１に関するリング溝２６は、周囲縁の第一の区切り２３３にＶ形の断面であって、開口部分２３１を実質的に丈夫にし補強できることとなる断面を持たせる。さらに、リング溝に関しては、周囲縁の第二の区切り２３５は上部パネル２３の堅牢性を大きく増すための重複縁を形成する。
【００２１】
図１に示されるように、従来の飲料入れ物１０を見ると、缶胴１１は、底パネルと底パネルの周囲縁から上向きに一体的に囲む周囲壁を有している。しかしながら、一般的に、上部パネル１２は、周囲縁を形成するため、缶胴１１の上端の縁とその縁が封止される独立部材とされる。しかしながら、開口部分２３１の平表面２３１−１の形成を容易にさせるため、プレス金型により一枚の素材から上部パネル２３を形成するのがより好ましい。だから、図３に示されるように、この発明の好ましい実施例による、缶胴２１と上部パネル２３は、単なる一枚の素材から作られる。逆に、底パネル２２は、別の一枚の素材から形成され、補強されている周囲縁２２１を形成するため、缶胴２１の底端２１１の縁とその縁が封止されてつながれる。
【００２２】
図３に示されるように、また底パネル２２より小さい直径を持つ上部パネル２３とすることは好ましく、それによって、１つの飲料入れ物は、もう一つの飲料入れ物の上端に積み重ねられ得ると同時に、下方の飲料入れ物の上部パネル２３は、上方の飲料入れ物の凹面底パネル２２によってカバーされ、その範囲内とされるようになる。
【００２３】
さらに衛生性を確実にするため、図２と図３に示されるように、少なくともバルブ部材２３６をカバーするため、上部パネル２３の開口部分２３１上に、保護膜４０が前もって取り付けられる。このため、消費者は、飲料入れ物を開ける前に、保護膜４０を最初に引き剥がすことができ、その結果、消費者の唇と接触するための開口部分２３１を完全に清掃できる。もちろん、消費者は、直接、バルブ部材２３６を最初に開けて、それによって、保護膜４０を引き剥がすこともできる。
【００２４】
この発明によって、飲料入れ物２０を消費する間の衛生性は、こうして適切に確実に行われることができる。そのうえ、引上げリング３１と引上げ部分２３２の間の広げられた隙間は、女性にさえ、その指爪がダメージされる心配なく簡単に開口装置３０を操作させ得ることができる。
【００２５】
上述の開示の中にある発明の主題及び思想による飲料入れ物に対してさまざまな明らかな修正がなされ得ることを示すことに価値がある。図４Ａ，図４Ｂ及び図５にいくつかの代替の態様が図示されている。
【００２６】
図４Ａに示されるように、上部パネル２３’の引上げ部分２３２’は、斜めの凹んだ区域２３２−１’を形成するため、傾けられる方法で平らな開口部分２３１’から直接引き伸ばされている。図４Ｂは、この発明の別の代替態様を図示し、そこには傾いた平らな表面を形成する開口部分２３１’’が作られ、かつ、開口部分２３１”から水平に直接引き伸ばされた凹平表面を形成する引上げ部分２３２”が作られている。
【００２７】
図５に示されるように、この発明の上述の好ましい実施例の第三の代替態様は、図示された上述の実施例に対して、基本的に同一構造であり、独立部材として上部パネル２３ａが作られ、缶胴２１ａと底パネル２２ａが１つの胴を構成するため一体的に形成されている。上部パネル２３ａの周囲縁は、囲む縁２７ａを形成するため、缶胴２１ａの上端縁２１２ａと封止的に結合されている。
【００２８】
図６に示されるように、この発明の上述の好ましい実施例の第四の代替態様は、凹面区域２３２−１がさらに取り除かれている。全ての上部パネル２３ｂは、平らな上表面を提供し、そこに直接、開口装置３０ｂが載せられる。リング溝２６は、平らな上部パネル２３ｂを補強するため、上部パネル２３ｂの周囲縁より真下へ缶胴２１の上端周りに形成されるのが好ましい。確かに、これは上述の好ましい実施例のようには良くないが、容易に清掃可能な開口部分２３１ｂを依然として提供することができる。それ故、これは、また、この発明の可能な代替変更例として考えられる。
【００２９】
図７に示されるように、この発明の上述の好ましい実施例の第五の代替態様は、平らな開口部分２３１ｃを有し、凹んだ区域２３２−１が、その中に単に開口装置３０ｃを受け入れるためのみに形成された溝とされている。上述の好ましい実施例と同様に良く機能する。
【図面の簡単な説明】
【図１】
図１は、従来の飲料入れ物の断面図である。
【図２】
図２は、この発明の好ましい実施例による飲料入れ物の斜視図である。
【図３】
図３は、この発明の上述の好ましい実施例による別の入れ物の上端に積み重ねる飲料入れ物の断面図である。
【図４】
図４Ａは、この発明の上述の好ましい実施例による飲料入れ物の第一の代替実施態様断面図で、図４Ｂは、この発明の上述の好ましい実施例による飲料入れ物の第二の代替実施態様断面図である。
【図５】
図５は、この発明の上述の好ましい実施例による飲料入れ物の第三の代替実施態様断面図である。
【図６】
図６は、この発明の上述の好ましい実施例による飲料入れ物の第四の代替実施態様断面図である。
【図７】
図７は、この発明の上述の好ましい実施例による飲料入れ物の第五の代替実施態様断面図である。
【国際公開パンフレット】
2004525820.tif 000003
2004525820.tif 000004
2004525820.tif 000005
2004525820.tif 000006
2004525820.tif 000007
2004525820.tif 000008
2004525820.tif 000009
2004525820.tif 000010
2004525820.tif 000011
2004525820.tif 000012
2004525820.tif 000013
2004525820.tif 000014
2004525820.tif 000015
2004525820.tif 000016
2004525820.tif 000017
2004525820.tif 000018
2004525820.tif 000019
2004525820.tif 000020
2004525820.tif 000021
2004525820.tif 000022
2004525820.tif 000023
【国際調査報告】
2004525820.tif 000024